(57)【要約】【課題】バイパス素子の発熱による負荷を低減することができる制御装置を提供する。【解決手段】太陽光パネルの発電量を制御する複数の発電制御装置を制御する制御装置であって、太陽光パネルの出力の情報を発電制御装置から受信する出力情報受信部と、出力情報受信部により受信された第１の発電制御装置からの第１の太陽光パネルの出力が所定値以下である場合、第２の太陽光パネルの発電量を制御する第２の発電制御装置へ、第２の発電制御装置の出力を制限するよう出力制限指令を送信する出力制限指令送信部と、を備える。【選択図】図５
2014112318.tif 000002
【特許請求の範囲】
【請求項１】
太陽光パネルの発電量を制御する複数の発電制御装置を制御する制御装置であって、
前記太陽光パネルの出力の情報を前記発電制御装置から受信する出力情報受信部と、
前記出力情報受信部により受信された第１の発電制御装置からの第１の太陽光パネルの出力が所定値以下である場合、第２の太陽光パネルの発電量を制御する第２の発電制御装置へ、前記第２の発電制御装置の出力を制限するよう出力制限指令を送信する出力制限指令送信部と、
を備える制御装置。
【請求項２】
請求項１に記載の制御装置であって、
前記出力制限指令送信部は、前記出力情報受信部により前記第１の発電制御装置から出力の情報を所定期間取得しなかった場合、前記出力制限指令を送信する制御装置。
【請求項３】
請求項１または２に記載の制御装置であって、
複数の太陽光パネルが直列に接続されてストリングが形成され、
前記第２の太陽光パネルは、前記第１の太陽光パネルと同一ストリングに存在する制御装置。
【請求項４】
請求項１ないし３のいずれか１項に記載の制御装置であって、
前記第１の発電制御装置が、前記太陽光パネルの出力を電力変換して出力する場合、
前記出力制限指令は、前記第２の発電制御装置の出力電流の上限を低下させる指令を含む制御装置。
【請求項５】
請求項１ないし３のいずれか１項に記載の制御装置であって、
前記第１の発電制御装置が、前記太陽光パネルの出力を電力変換して出力する場合、
前記出力制限指令は、前記第２の発電制御装置による降圧を禁止する指令を含む制御装置。
【請求項６】
請求項５に記載の制御装置であって、
前記出力制限指令は、前記第２の発電制御装置による昇圧及び降圧を禁止する指令を含む制御装置。
【請求項７】
請求項６に記載の制御装置であって、
前記第１の発電制御装置は、
前記太陽光パネルの出力を電力変換する電力変換部と、
前記太陽光パネルの出力を、前記電力変換部を介さずにバイパスさせる電力変換バイパス部と、
を備える制御装置。
【請求項８】
請求項１ないし３のいずれか１項に記載の制御装置であって、
前記第１の発電制御装置が、前記太陽光パネルの出力を電力変換して出力する場合、
前記出力制限指令は、前記第２の発電制御装置による昇圧指令を含む制御装置。
【請求項９】
太陽光パネルの発電量を制御する発電制御装置であって、
前記太陽光パネルの出力を検出する出力検出部と、
前記出力検出部により検出された前記太陽光パネルの出力の情報を、当該発電制御装置を制御する制御装置へ送信する出力情報送信部と、
前記太陽光パネルの出力の情報に基づく出力制限指令を受信する出力制限指令受信部と、
前記太陽光パネルの出力を制御する制御部と、
他の太陽光パネルにより発電された電力をバイパスさせるバイパス部と、
を備え、
前記制御部は、前記受信部により前記出力制限指令を受信した場合、前記出力制限指令に応じて当該発電制御装置の出力を制限する発電制御装置。
【請求項１０】
請求項９に記載の発電制御装置であって、
前記制御部は、前記出力制限指令に応じて、当該発電制御装置の出力電流の上限を低下させ、当該発電制御装置の出力電流が当該上限以下となるよう制御する発電制御装置。
【請求項１１】
請求項９に記載の発電制御装置であって、
前記制御部は、前記出力制限指令に応じて、前記太陽光パネルの出力電圧に対する降圧を禁止する発電制御装置。
【請求項１２】
請求項１１に記載の発電制御装置であって、
前記制御部は、前記出力制限指令に応じて、前記太陽光パネルの出力電圧に対する昇圧及び降圧を禁止する発電制御装置。
【請求項１３】
請求項１２に記載の発電制御装置であって、
前記太陽光パネルの出力を電力変換する電力変換部と、
前記太陽光パネルの出力を、前記電力変換部を介さずにバイパスさせる電力変換バイパス部と、
を備える発電制御装置。
【請求項１４】
請求項９に記載の発電制御装置であって、
前記制御部は、前記出力制限指令に応じて、前記太陽光パネルの出力電圧を昇圧するよう制御する発電制御装置。
【請求項１５】
第１の太陽光パネルの発電量を制御する第１の発電制御装置と、第２の太陽光パネルの発電量を制御する第２の発電制御装置と、前記第１の発電制御装置及び前記第２の発電制御装置を制御する制御装置と、を備える太陽光発電システムであって、
前記第１の発電制御装置は、
前記第１の太陽光パネルの出力を検出する出力検出部と、
前記出力検出部により検出された前記第１の太陽光パネルの出力の情報を前記制御装置へ送信する出力情報送信部と、
他の太陽光パネルにより発電された電力をバイパスさせるバイパス部と、
を備え、
前記制御装置は、
前記第１の太陽光パネルの出力の情報を前記第１の発電制御装置から受信する出力情報受信部と、
前記出力情報受信部により受信された前記第１の太陽光パネルの出力が所定値以下である場合、前記第２の発電制御装置へ、前記第２の発電制御装置の出力を制限するよう出力制限指令を送信する出力制限指令送信部と、
を備え、
前記第２の発電制御装置は、
前記制御装置からの前記出力制限指令を受信する出力制限指令受信部と、
前記第２の太陽光パネルの出力を制御する制御部と、
を備え、
前記制御部は、前記出力制限指令受信部により前記出力制限指令が受信された場合、前記出力制限指令に応じて前記第２の発電制御装置の出力を制限する太陽光発電システム。
【請求項１６】
太陽光パネルの発電量を制御する発電制御装置を制御する制御装置における制御方法であって、
前記太陽光パネルの出力の情報を前記発電制御装置から受信するステップと、
前記受信された第１の発電制御装置からの第１の太陽光パネルの出力が所定値以下である場合、第２の太陽光パネルの発電量を制御する第２の発電制御装置へ、前記第２の発電制御装置の出力を制限するよう出力制限指令を送信するステップと、
を有する制御方法。
【請求項１７】
他の太陽光パネルにより発電された電力をバイパスさせるバイパス部を備え、太陽光パネルの発電量を制御する発電制御装置における発電制御方法であって、
前記太陽光パネルの出力を検出するステップと、
前記検出された前記太陽光パネルの出力の情報を、当該発電制御装置を制御する制御装置へ送信するステップと、
前記太陽光パネルの出力の情報に基づく出力制限指令を受信するステップと、
前記太陽光パネルの出力を制御する制御ステップと、
を有し、
前記制御ステップでは、前記出力制限指令が受信された場合、前記出力制限指令に応じて当該発電制御装置の出力を制限する発電制御方法。
【発明の詳細な説明】
【技術分野】
【０００１】
本発明は、制御装置、発電制御装置、太陽光発電システム、制御方法、及び発電制御方法に関する。
【背景技術】
【０００２】
従来、太陽光パネル（ＰＶ（Ｐｈｏｔｏ  Ｖｏｌｔａｉｃ）パネル）を利用し、太陽光のエネルギーを電気エネルギーに変換する太陽光発電が普及している。太陽光発電では、発電時に廃棄物、排水、騒音、振動などが発生せず、非常用電源としても活用が期待されることから、近年特に注目されている。
【０００３】
太陽光パネルによる発電量は、例えば、太陽放射照度、天候（例えば温度、雲量）に依存する。太陽光発電による発電電力を最大にするために、最大電力点追従制御（ＭＰＰＴ：Ｍａｘｉｍｕｍ  Ｐｏｗｅｒ  Ｐｏｉｎｔ  Ｔｒａｃｋｉｎｇ）（以下、ＭＰＰＴ制御ともいう）が行われる。
【０００４】
ＭＰＰＴ制御を行う装置の一例として、太陽光を受光して発電する太陽光発電モジュールが複数直列に接続されてなるストリングが複数並列に接続されてなる太陽光発電アレイが開示されている。このストリングは、直列に接続される各太陽光発電モジュールと、各々の太陽光発電モジュールに接続され、太陽光発電モジュールの出力電圧及び出力電流を調整する電力調整装置と、太陽光発電モジュールと並列に接続されたバイパスダイオードと、を有する。
【０００５】
このバイパスダイオードは、日陰や汚れ等により一部の太陽光発電モジュールに流れる電流の値が、他の太陽光発電モジュールの電流値より極端に低下した場合に、その電流値の低下した太陽光発電モジュールに逆バイアスがかかることを防ぐために設けられている。
【先行技術文献】
【特許文献】
【０００６】
【特許文献１】特開２０１１−００８３４８号公報
【発明の概要】
【発明が解決しようとする課題】
【０００７】
しかしながら、複数の太陽光発電モジュールが接続されるストリングに流れる電流の値は一般的に大きいため、バイパスダイオードはこの大電流が流れ、大きな発熱が生じる。すなわち、バイパスダイオードはこの発熱に耐久可能である高性能なものが要求され、従来の太陽光発電システムは使用可能なバイパスダイオードが限定された。さらに、ストリングに接続される太陽光発電モジュールが増加するほど、ストリングを流れる電流も増加する傾向にある。すなわち、バイパスダイオードに要求される性能がさらに厳しくなり、大規模な太陽光発電システムを構築することが困難であった。
【０００８】
本発明は、上記事情に鑑みてなされたものであって、多様なバイパス素子を使用可能とする制御装置、発電制御装置、太陽光発電システム、制御方法、及び発電制御方法を提供する。
【課題を解決するための手段】
【０００９】
本発明の制御装置は、太陽光パネルの発電量を制御する複数の発電制御装置を制御する制御装置であって、前記太陽光パネルの出力の情報を前記発電制御装置から受信する出力情報受信部と、前記出力情報受信部により受信された第１の発電制御装置からの第１の太陽光パネルの出力が所定値以下である場合、第２の太陽光パネルの発電量を制御する第２の発電制御装置へ、前記第２の発電制御装置の出力を制限するよう出力制限指令を送信する出力制限指令送信部と、を備える。
【００１０】
本発明の発電制御装置は、太陽光パネルの発電量を制御する発電制御装置であって、前記太陽光パネルの出力を検出する出力検出部と、前記出力検出部により検出された前記太陽光パネルの出力の情報を、当該発電制御装置を制御する制御装置へ送信する出力情報送信部と、前記太陽光パネルの出力の情報に基づく出力制限指令を受信する出力制限指令受信部と、前記太陽光パネルの出力を制御する制御部と、他の太陽光パネルにより発電された電力をバイパスさせるバイパス部と、を備え、前記制御部が、前記受信部により前記出力制限指令を受信した場合、前記出力制限指令に応じて当該発電制御装置の出力を制限する。
【００１１】
本発明の太陽光発電システムは、第１の太陽光パネルの発電量を制御する第１の発電制御装置と、第２の太陽光パネルの発電量を制御する第２の発電制御装置と、前記第１の発電制御装置及び前記第２の発電制御装置を制御する制御装置と、を備える太陽光発電システムであって、前記第１の発電制御装置は、前記第１の太陽光パネルの出力を検出する出力検出部と、前記出力検出部により検出された前記第１の太陽光パネルの出力の情報を前記制御装置へ送信する出力情報送信部と、を備え、前記制御装置は、前記第１の太陽光パネルの出力の情報を前記第１の発電制御装置から受信する出力情報受信部と、前記出力情報受信部により受信された前記第１の太陽光パネルの出力が所定値以下である場合、前記第２の発電制御装置へ、前記第２の発電制御装置の出力を制限するよう出力制限指令を送信する出力制限指令送信部と、を備え、前記第２の発電制御装置は、前記制御装置からの前記出力制限指令を受信する出力制限指令受信部と、前記第２の太陽光パネルの出力を制御する制御部と、他の太陽光パネルにより発電された電力をバイパスさせるバイパス部と、を備え、前記制御部は、前記出力制限指令受信部により前記出力制限指令が受信された場合、前記出力制限指令に応じて前記第２の発電制御装置の出力を制限する。
【００１２】
本発明の制御方法は、太陽光パネルの発電量を制御する発電制御装置を制御する制御装置における制御方法であって、前記太陽光パネルの出力の情報を前記発電制御装置から受信するステップと、前記受信された第１の発電制御装置からの第１の太陽光パネルの出力が所定値以下である場合、第２の太陽光パネルの発電量を制御する第２の発電制御装置へ、前記第２の発電制御装置の出力を制限するよう出力制限指令を送信するステップと、を有する。
【００１３】
本発明の発電制御方法は、他の太陽光パネルにより発電された電力をバイパスさせるバイパス部を備え、太陽光パネルの発電量を制御する発電制御装置における発電制御方法であって、前記太陽光パネルの出力を検出するステップと、前記検出された前記太陽光パネルの出力の情報を、当該発電制御装置を制御する制御装置へ送信するステップと、前記太陽光パネルの出力の情報に基づく出力制限指令を受信するステップと、前記太陽光パネルの出力を制御する制御ステップと、を有し、前記制御ステップでは、前記出力制限指令が受信された場合、前記出力制限指令に応じて当該発電制御装置の出力を制限する。
【発明の効果】
【００１４】
本発明によれば、太陽光パネルに接続されるバイパス素子の発熱による負荷を低減することができる。従って、例えば、使用可能なバイパス素子の選択肢を増やすことができ、また、容易に大規模な太陽光発電システムを構築することができる。
【図面の簡単な説明】
【００１５】
【図１】実施形態における太陽光発電システムの構成例を示すブロック図
【図２】実施形態におけるＭＰＰＴ子機の構成例の構成例を示すブロック図
【図３】実施形態におけるＭＰＰＴ子機の構成例の構成例を示すブロック図
【図４】実施形態におけるＭＰＰＴ子機の詳細な構成例の一部を示す図
【図５】実施形態におけるＭＰＰＴ親機の構成例を示すブロック図
【図６】実施形態における各ＭＰＰＴ子機を流れる電流経路の第１例を示す図
【図７】実施形態における各ＭＰＰＴ子機を流れる電流経路の第２例を示す図
【図８】実施形態における各ＭＰＰＴ子機を流れる電流経路の第３例を示す図
【図９】実施形態における各ＭＰＰＴ子機を流れる電流経路の第４例を示す図
【図１０】実施形態における太陽光発電システムの他の構成例を示す図
【図１１】実施形態における太陽光発電システムの第１動作例を示すタイムチャート
【図１２】実施形態における太陽光発電システムの第２動作例を示すタイムチャート
【図１３】実施形態におけるＭＰＰＴ親機による出力制限指令に応じたＭＰＰＴ子機の出力変化の第１例を示す図
【図１４】実施形態におけるＭＰＰＴ親機による出力制限指令に応じたＭＰＰＴ子機の出力変化の第２例を示す図
【図１５】実施形態におけるＭＰＰＴ親機による出力制限指令に応じたＭＰＰＴ子機の出力変化の第３例を示す図
【図１６】実施形態におけるＭＰＰＴ親機による出力制限指令に応じたＭＰＰＴ子機の出力変化の第４例を示す図
【発明を実施するための形態】
【００１６】
以下、本発明の実施形態について、図面を用いて説明する。
【００１７】
図１は、本発明の実施形態における太陽光発電システム１００の構成例を示す図である。太陽光発電システム１００は、ＰＶパネル１０、ＭＰＰＴ子機２０、ＭＰＰＴ親機３０、接続箱４０、及びパワーコンディショナ５０を備える。ＭＰＰＴ子機２０は発電制御装置の一例である。ＭＰＰＴ親機３０は、制御装置の一例である。
【００１８】
ＰＶパネル１０は、光電効果により、光エネルギーを電力に変換する太陽電池を含むパネルである。ＰＶパネル１０は、複数の太陽電池セルが組み合わされた太陽電池モジュールである。ＰＶパネル１０は、電力線ＰＬに対して直列又は並列に接続される。各ＰＶパネル１０は、各ＭＰＰＴ子機２０と１対１で対応している。
【００１９】
図１の例では、各ＰＶパネル１０が電力線ＰＬを介して直列に接続された太陽電池ストリング（ＰＶストリング）として構成されている。また、各太陽電池ストリングが電力線ＰＬを介して接続箱４０において並列に接続され、太陽電池アレイ（ＰＶアレイ）として構成されている。なお、ＰＶパネル１０が６個直列に接続されてＰＶストリングが構成され、ＰＶストリングが４個並列に接続されてＰＶアレイが構成されているが、この数はこれに限られない。
【００２０】
ＭＰＰＴ子機２０は、自装置に接続されたＰＶパネル１０の発電電力（発電量）を制御する。つまり、ＭＰＰＴ子機２０は、自装置に接続されたＰＶパネル１０の発電電力を入力し、この発電電力が所望の電力となるように制御する。所望の電力は、例えば、ＰＶパネル１０の向き、ＰＶパネル１０の設置場所、又は日照条件によって、ＭＰＰＴ子機２０毎に異なることがある。
【００２１】
例えば、ＭＰＰＴ子機２０は、自装置に接続されたＰＶパネル１０に対してＭＰＰＴ制御する。ＭＰＰＴ子機２０のＭＰＰＴ制御とは、接続されたＰＶパネル１０の発電量を最大とするための制御である。このＭＰＰＴ制御は、公知の方法により実現可能であり、例えば山登り法が採用される。また、ＭＰＰＴ子機２０は、ＭＰＰＴ親機３０の子機として動作する。
【００２２】
ＭＰＰＴ親機３０は、複数のＭＰＰＴ子機２０の親機として動作する。また、ＭＰＰＴ親機３０は、例えば、ＭＰＰＴ子機２０による測定値（例えば、電流、電圧、又は電力の測定値）をＭＰＰＴ子機２０から受信し、ＰＶパネル１０の発電量を常時監視する。
【００２３】
ＭＰＰＴ親機３０の設置場所は、特に限定しない。例えば、単独の装置としてＭＰＰＴ子機２０との通信が可能な場所に設置されてもよいし、パワーコンディショナ５０内に設置されてもよいし、接続箱４０内に設置されてもよい。図１では、単独の装置として設置された場合を例示している。なお、ＭＰＰＴ親機３０を、単に「親機３０」とも称する。
【００２４】
接続箱４０は、複数のＰＶパネル１０が直列に接続されて構成されるＰＶストリング単位で配線としての電力線ＰＬをまとめて（集線し）、パワーコンディショナ５０に接続する。接続箱４０は、例えば、電力線ＰＬを接続するための端子、点検や保守の際に使用されるスイッチ、避雷素子、及び電気の逆流を防止するための逆流防止ダイオードを含む。
【００２５】
また、接続箱４０は、パワーコンディショナ５０と一体化されてもよい。また、接続箱４０は、省略されてもよい。
【００２６】
パワーコンディショナ５０は、接続箱４０から出力された直流電力を変換（ＤＣＤＣ変換）し、さらに交流電力に変換（ＤＣＡＣ変換）する。パワーコンディショナ５０は、例えば分電盤（不図示）に接続される。
【００２７】
また、パワーコンディショナ５０は、上記ＤＣＤＣ変換動作において、パワーコンディショナ５０に入力された電力が最大となるようにＭＰＰＴ制御する。パワーコンディショナ５０のＭＰＰＴ制御とは、太陽光発電システム１００に含まれるＰＶパネル１０の総発電量を最大とするための制御である。このＭＰＰＴ制御は、公知の方法により実現可能であり、例えば山登り法が採用される。
【００２８】
次に、ＭＰＰＴ子機２０の構成例について説明する。
図２及び図３は、ＭＰＰＴ子機２０の構成例を示す図である。図４はＭＰＰＴ子機２０の詳細な構成例の一部を示す図である。ＭＰＰＴ子機２０は、スイッチ部２１、電源部２２、電流電圧検出部２３，２４、ＤＣＤＣ部２５、制御部２６、通信部２７、バイパスダイオードＢＤ、入力端子２８、及び出力端子２９を備える。
【００２９】
スイッチ部２１は、ＭＰＰＴ子機２０の入力端子２８側と出力端子２９側とを電気的に接続又は遮断させる。スイッチ部２１は、制御部２６からの切り替え信号に応じて、オンオフ制御される。
【００３０】
入力端子２８側と出力端子２９側とを電気的に接続させた場合（ＯＮ）、ＭＰＰＴ子機２０に接続されたＰＶパネル１０からの電力を、出力端子２９側へそのまま通過させる。つまり、スイッチ部２１はバイパス回路として動作できる。これにより、ＰＶパネル１０の出力をモニタリングできる。例えば、ＭＰＰＴ制御の実行中には、スイッチ部２１はオンにされる。
【００３１】
入力端子２８側と出力端子２９側とを電気的に遮断させた場合（ＯＦＦ）、ＭＰＰＴ子機２０に接続されたＰＶパネル１０からの電力は、スイッチ部２１を介した経路では出力されない。例えば、ＭＰＰＴ制御の停止中には、スイッチ部２１はオフにされる。
【００３２】
電源部２２は、ＰＶパネル１０からの電力供給を受けて、ＭＰＰＴ子機２０内の各部へ電力を供給する。
【００３３】
電流電圧検出部２３は、ＰＶパネル１０の出力電流及び出力電圧を検出する。つまり、ＤＣＤＣ部２５による電圧変換前の電流値及び電圧値を検出する。なお、電流電圧検出部２３により検出される電流を入力側検出電流、電流電圧検出部２３により検出される電圧を入力側検出電圧、とも称する。また、電流電圧検出部２３は、出力検出部の一例である。
【００３４】
電流電圧検出部２４は、スイッチ部２１又はＤＣＤＣ部２５の出力電流又は出力電圧を検出する。つまり、スイッチ部２１を通過した電流値及び電圧値、又は、ＤＣＤＣ部２５による電圧変換後の電流値及び電圧値を検出する。なお、電流電圧検出部２４により検出される電流を出力側検出電流、電流電圧検出部２４により検出される電圧を出力側検出電圧、とも称する。
【００３５】
ＤＣＤＣ部２５は、ＤＣ／ＤＣコンバータであり、電力変換用のスイッチング素子を有するスイッチ部２５Ｓを備える。スイッチ部２５Ｓは、オンとオフを適時切り替えることにより、電力線ＰＬを介してＰＶパネル１０から供給される供給電力を制御する。
【００３６】
ＤＣＤＣ部２５は、ＰＶパネル１０の出力電圧を入力し、スイッチ部２５Ｓを用いて、入力された電圧を変圧する。スイッチ部２５Ｓは、制御部２６からのＰＷＭ（Ｐｕｌｓｅ  Ｗｉｄｔｈ  Ｍｏｄｕｌａｔｉｏｎ）信号に応じて、オンオフ制御される。つまり、ＤＣＤＣ部２５は、昇圧又は降圧を行う昇降圧回路として動作できる。なお、図４では、スイッチ部２５Ｓの一例として、Ｐチャネル型のＦＥＴ（Ｆｉｅｌｄ  Ｅｆｆｅｃｔ  Ｔｒａｎｓｉｓｔｏｒ）を開示したが、これに限定せず、Ｎチャネル型のＦＥＴ等を用いても良い。
【００３７】
制御部２６は、例えば、不図示のＲＯＭに格納されたプログラムをマイクロコンピュータが実行することで、各種処理を行う。
【００３８】
制御部２６は、ＭＰＰＴ制御する場合には、出力側検出電圧が所定の電圧となるよう、ＤＣＤＣ部２５のスイッチ部２５Ｓのオン時間とオフ時間との比を示すデューティ比（ＰＷＭ値）を決定し、スイッチ部２５Ｓをオンオフ制御する。例えば、所定の電圧とは、ＭＰＰＴ制御により決定される、最大電力点の電圧である。ＭＰＰＴ制御では、デューティ比は可変である。
【００３９】
ＰＶパネル１０の出力電圧は、ＭＰＰＴ子機２０の入力側検出電圧として検出される。ＰＶパネル１０の出力電流は、ＭＰＰＴ子機２０の入力側検出電流として検出される。また、ＰＶパネル１０の出力電力は、例えば制御部２６により、ＭＰＰＴ子機２０により検出された入力側検出電圧と入力側検出電流との積として導出（例えば算出）される。つまり制御部２６は、電力導出部としての機能を有する。なお、ＭＰＰＴ子機２０が、入力側の電力を検出する電力検出器を備えてもよい。導出された入力側の電力を入力側電力とも称する。
【００４０】
ＭＰＰＴ子機２０の出力電圧は、出力側検出電圧として検出される。ＭＰＰＴ子機２０の出力電流は、ＭＰＰＴ子機２０の出力側検出電流として検出される。また、ＭＰＰＴ子機２０の出力電力は、例えば制御部２６により、出力側検出電圧と出力側検出電流との積として導出（例えば算出）される。なお、ＭＰＰＴ子機２０が、出力側の電力を検出する電力検出器を備えてもよい。導出された出力側の電力を出力側電力とも称する。
【００４１】
制御部２６は、逐次検出される入力側検出電圧及び入力側検出電流に応じて、ＰＶパネル１０の出力電圧と出力電流との関係を示すＩＶ特性を導出する。この場合、制御部２６は、ＩＶ特性における各動作点を逐次導出する。
【００４２】
制御部２６は、逐次検出される入力側検出電圧及び逐次導出される入力側電力に応じて、ＰＶパネル１０の出力電圧と出力電力との関係を示すＰＶ特性を導出する。この場合、制御部２６は、ＰＶ特性における各動作点を逐次導出する。
【００４３】
また、制御部２６は、ＭＰＰＴ親機３０から送信される出力制限指令に基づいて、ＤＣＤＣ部２５を制御してもよい。出力制限指令は、例えば、ＭＰＰＴ子機２０の出力電流を制限する情報、スイッチ部２１又はＤＣＤＣ部２５による昇圧又は降圧を禁止する情報、又は、ＤＣＤＣ部２５による昇圧を指示する情報、を含む。
【００４４】
通信部２７は、他のＭＰＰＴ子機２０、ＭＰＰＴ親機３０、又はパワーコンディショナ５０との間において、有線又は無線を用いて通信する。この通信の方式は、例えば、電力線を介した電力線通信（ＰＬＣ：Ｐｏｗｅｒ  Ｌｉｎｅ  Ｃｏｍｍｕｎｉｃａｔｉｏｎ）を含む。また、この通信の方式は、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）、無線ＬＡＮ（Ｌｏｃａｌ  Ａｒｅａ  Ｎｅｔｗｏｒｋ）通信、又はＺｉｇｂｅｅ（登録商標）を含む。
【００４５】
例えば、通信部２７は、電流電圧検出部２３，２４による検出値を含む検出情報を、ＭＰＰＴ親機３０へ送信する。検出情報は、例えば、入力側電流検出値及び入力側電圧検出値を含む。検出情報は、上記入力側の情報とともに、又は入力側の情報の代わりに、出力側電流検出値及び出力側電圧検出値を含んでもよい。また、例えば、通信部２７は、ＭＰＰＴ親機３０から送信された出力制限指令を受信する。
【００４６】
つまり、通信部２７は、出力情報送信部の一例である。また、通信部２７は、出力制限指令受信部の一例である。
【００４７】
バイパスダイオードＢＤは、ＰＶパネル１０に不具合が発生した場合に、他のＰＶパネル１０から入力され、ＭＰＰＴ子機２０を流れる電流をバイパスさせる。不具合が発生した場合とは、例えば、日陰又は汚れにより、ＰＶパネル１０が遮光されて発電していない場合である。バイパスダイオードＢＤにより、ＰＶパネル１０に不具合が発生した場合に、電力低下を防ぎ、バイパスダイオードの発熱による負荷を低減することができる。
【００４８】
図２では、通信部２７として、無線通信する通信部２７Ａを例示している。通信部２７Ａは、ＤＣＤＣ部２５の前段側に配置されてもよい。これにより、通信部２７Ａに入力されるノイズ（例えば、スイッチ部２１又はスイッチ部２５Ｓにおけるスイッチングノイズ）の影響が比較的小さくなり、良好な通信特性が得られる。
【００４９】
図３では、通信部２７として、有線通信する通信部２７Ｂを例示している。通信部２７Ｂは、ＤＣＤＣ部２５の後段側に配置されてもよい。これにより、スイッチ部２１又はスイッチ部２５Ｓを介さずに、電力線ＰＬを伝送される信号が通信部２７Ｂに入力されるので、良好な通信特性が得られる。
【００５０】
次に、ＭＰＰＴ親機３０の構成例について説明する。
図５は、ＭＰＰＴ親機３０の構成例を示す図である。ＭＰＰＴ親機３０は、制御部３１、電源部３６、及び通信部３７を備える。制御部３１は、ＣＰＵ（Ｃｅｎｔｒａｌ  Ｐｒｏｃｅｓｓｉｎｇ  Ｕｎｉｔ）３２、ＲＡＭ（Ｒａｎｄｏｍ  Ａｃｃｅｓｓ  Ｍｅｍｏｒｙ）３３、フラッシュメモリ（Ｆｌａｓｈ）３４、及びＩ／Ｏ（Ｉｎｐｕｔ／Ｏｕｔｐｕｔ）部３５を備える。
【００５１】
制御部３１は、例えば、ＲＡＭ３３に格納されたプログラムをＣＰＵ３２により実行することで、各種処理を行う。制御部３１による処理結果は、例えばＩ／Ｏ部３５を介して通信部３７により他の装置へ送信される。Ｉ／Ｏ部３５は、制御部３１と通信部３７との間の通信インタフェースであり、例えば、ＵＡＲＴ（Ｕｎｉｖａｒｓａｌ  Ａｓｙｎｃｈｒｏｎｏｕｓ  Ｒｅｃｅｉｖｅｒ  Ｔｒａｎｓｍｉｔｔｅｒ）又はＩ２Ｃを含む。
【００５２】
電源部３６は、例えば商用電源（交流電源又は直流電源）からの電力供給を受けて、ＭＰＰＴ親機３０内の各部へ電力を供給する。
【００５３】
通信部３７は、ＭＰＰＴ子機２０との間において、有線または無線を用いて通信する。この通信の方式は、例えば、電力線を介した電力線通信（ＰＬＣ）、ＤＥＣＴ、無線ＬＡＮ通信、又はＺｉｇｂｅｅ（登録商標）を含む。
【００５４】
例えば、通信部３７は、ＭＰＰＴ子機２０から検出情報を受信し、出力制限指令をＭＰＰＴ子機２０へ送信する。検出情報は、ＰＶパネル１０の出力の情報の一例である。このＰＶパネル１０の出力の情報は、ＭＰＰＴ子機２０の入力側又は出力側の電流、電圧、又は電力の情報を含む。通信部３７は、出力情報受信部の一例である。また、通信部３７は、出力制限指令を送信する出力制限送信部の一例である。
【００５５】
パワーコンディショナ５０は、例えば、ＤＣ／ＤＣコンバータ、ＭＰＰＴ制御を行うための制御部、他装置と通信するための通信部、及び、ＤＣ／ＡＣコンバータを備える。
【００５６】
次に、各ＭＰＰＴ子機２０を流れる電流について説明する。
図６〜図９は、各ＭＰＰＴ子機２０を流れる電流経路の一例を示す図である。なお、図６〜図９では、ＭＰＰＴ子機２０におけるバイパス素子（例えば、バイパスダイオードＢＤ又はバイパス用トランジスタＢＴ）以外の構成が省略されている。バイパス素子は、他のＭＰＰＴ子機２０に接続された他のＰＶパネル１０により発電された電力をバイパスさせるバイパス部の一例であり、又はバイパス部に含まれる。なお、バイパス素子はＭＰＰＴ子機２０内ではなく、ＭＰＰＴ子機２０の出力側であれば、外部に設けられても良い。
【００５７】
バイパスダイオードＢＤでは、当該ダイオードの電圧と当該ダイオードを流れる電流との積に応じてエネルギー損失が発生し、発熱する。バイパス用トランジスタＢＴでは、当該トランジスタのオン電圧と当該トランジスタを流れる電流との積に応じてエネルギー損失が発生し、発熱する。一般的には、バイパス用トランジスタＢＴは、バイパスダイオードＢＤよりもエネルギー損失が少なく、つまり発熱量が少ない。
【００５８】
図６は、ＰＶパネル１０が発電しており、バイパスダイオードＢＤに電流が流れない例を示す。図７は、図６のバイパスダイオードＢＤの代わりに、バイパス用トランジスタＢＴが配設された例を示す。
【００５９】
図６及び図７の場合、ＭＰＰＴ子機２０に入力された電流は、バイパス素子を介さずに、スイッチ部２１又はＤＣＤＣ部２５を介して、ＰＶパネル１０又は他のＭＰＰＴ子機２０へ出力される。つまり、図６及び図７の場合、バイパス素子では電流が流れないので、発熱しない。電流が流れない場合とは、ＰＶパネル１０が発電してバイパス素子に逆電圧が掛かる場合などである。
【００６０】
図８は、ＰＶパネル１０が発電しておらず、バイパスダイオードＢＤに電流が流れる例を示す。図９は、図８のバイパスダイオードＢＤの代わりに、バイパス用トランジスタＢＴが配設された例を示す。
【００６１】
図８及び図９の場合、ＭＰＰＴ子機２０に入力された電流は、スイッチ部２１又はＤＣＤＣ部２５を介さずに、バイパス素子を介して、他のＭＰＰＴ子機２０へ出力される。つまり、図８及び図９の場合、バイパス素子では電流が流れ、発熱する。電流が流れる場合とは、バイパス素子の電圧が所定の順方向電圧ＶＦ以上である場合である。
【００６２】
また、バイパス素子の電圧はほぼ不変であり、変化しても微小である。従って、バイパス素子における発熱量は、バイパス素子を流れる電流の大きさに応じて変化する。
【００６３】
次に、ＭＰＰＴ子機２０の動作例について説明する。
【００６４】
ここでは、太陽光発電システムにおいて、４個のＰＶパネル１０を含むＰＶストリングが２個接続箱４０に接続され、ＰＶアレイを構成する場合を例示する。図１０は、太陽光発電システム１００Ａの構成例を示す図である。
【００６５】
太陽光発電システム１００Ａは、２個のＰＶストリング１１Ａ，１１Ｂを含む。ＰＶストリング１１Ａは、４個のＰＶパネル１０Ａ〜１０Ｄを含む。ＰＶストリング１１Ｂは、４個のＰＶパネル１０Ｅ〜１０Ｈを含む。また、各ＭＰＰＴ子機２０Ａ〜２０Ｈは、各ＰＶパネル１０Ａ〜１０Ｈと１対１に対応する。
【００６６】
太陽光発電システム１００Ａは、太陽光発電システム１００の構成から、ＰＶパネル数とＰＶストリング数とを変更したものであり、他の構成及び機能は同様である。
【００６７】
図１０では、建物ＢＬによる日陰ＳＤの一部が、ＰＶパネル１０Ａの受光面に含まれている。日陰ＳＤの影響により、ＰＶパネル１０Ａの発電量は、日陰ＳＤを含まない他のＰＶパネル１０Ｂ〜１０Ｈの発電量よりも小さくなる。
【００６８】
図１１は、太陽光発電システム１００Ａの第１動作例を示すタイムチャートである。図１２は、太陽光発電システム１００Ａの第２動作例を示すタイムチャートである。なお、ＭＰＰＴ子機２０Ａを単に子機Ａ、ＭＰＰＴ子機２０Ｂを単に子機Ｂ、ＭＰＰＴ子機２０Ｃを単に子機Ｃ、ＭＰＰＴ子機２０Ｄを単に子機Ｄ、とも記載する。
【００６９】
ＭＰＰＴ子機２０Ａは、第１の発電制御装置の一例である。ＭＰＰＴ子機２０Ｂ〜２０Ｄは、第２の発電制御装置の一例である。ＰＶパネル１０Ａは、第１のＰＶパネルの一例である。ＰＶパネル１０Ｂ〜１０Ｄは、第２のＰＶパネルの一例である。
【００７０】
図１１及び図１２では、親機３０及びＰＶパネル１０Ａと同一のＰＶストリング１１Ａに存在するＰＶパネル１０Ａ〜１０Ｄに対応するＭＰＰＴ子機２０Ａ〜２０Ｄの動作例を示す。
【００７１】
まず、図１１に示す太陽光発電システム１００Ａの第１動作例について説明する。
【００７２】
親機３０の通信部３７は、太陽光発電システム１００Ａに含まれるＭＰＰＴ子機２０Ａ〜２０Ｄに対して、定期的に、データを要求する（Ｓ１１）。このデータの要求は、例えば、各ＭＰＰＴ子機２０Ａ〜２０Ｄが保持する検出情報の送信要求を含む。
【００７３】
ＭＰＰＴ子機２０Ａ〜２０Ｄの通信部２７は、親機３０からのデータの要求を受信すると、親機３０に対して応答データを送信する（Ｓ１２）。この応答データは、例えば、各ＭＰＰＴ子機２０Ａ〜２０Ｄが保持する検出情報を含む。
【００７４】
応答データの送信後、ＰＶパネル１０Ａは、日陰ＳＤの影響により発電電力が低下し、発電が停止する（Ｓ１３）。これにより、ＭＰＰＴ子機２０Ａは、ＰＶパネル１０Ａから電力供給を受けられず、動作を停止する。従って、ＭＰＰＴ子機２０Ａは、親機３０との間で通信できない状態（通信不可状態）となる。ＭＰＰＴ子機２０Ａが動作を停止すると、バイパス素子がオン状態となり、バイパス素子へ電流が流れる。
【００７５】
Ｓ１１の処理から所定期間経過後、親機３０の通信部３７は、ＭＰＰＴ子機２０Ａ〜２０Ｄに対して、データを要求する（Ｓ１４）。データの要求の内容は、Ｓ１１において説明した内容と同様である。
【００７６】
ＭＰＰＴ子機２０Ｂ〜２０Ｄの通信部２７は、親機３０からのデータの要求を受信すると、親機３０に対して応答データを送信する（Ｓ１５）。応答データの内容は、Ｓ１２において説明した内容と同様である。
【００７７】
一方、ＭＰＰＴ子機２０Ａは、動作が停止しているため、親機３０からのデータの要求を受信できず、親機３０へ応答データを送信できない。
【００７８】
親機３０の通信部３７は、ＭＰＰＴ子機２０Ａから応答データを受信しなかった場合、応答データを受信するまで、又はタイムアウトするまで、定期的にデータの要求を再送する（Ｓ１６）。
【００７９】
親機３０の制御部３１は、所定期間内にＭＰＰＴ子機２０Ａから応答データを受信しなかった場合、つまりタイムアウトした場合、ＭＰＰＴ子機２０Ａが通信不可状態であると判定する（Ｓ１７）。
【００８０】
親機３０の通信部３７は、通信不可状態であるＭＰＰＴ子機２０Ａと同一のＰＶストリング１１Ａに存在する他のＭＰＰＴ子機２０Ｂ〜２０Ｄに対して、出力を制限するよう指示する（Ｓ１８）。つまり、親機３０は出力制限指令を送信する。
【００８１】
ＭＰＰＴ子機２０Ｂ〜２０Ｄの制御部２６は、親機３０からの出力制限指令を受信すると、出力制限指令に基づいて、自装置の出力を制限する（Ｓ１９）。ＭＰＰＴ子機２０Ｂ〜２０Ｄの出力制限の詳細については、後述する。
【００８２】
太陽光発電システム１００Ａの第１動作例によれば、ＭＰＰＴ子機２０Ａが通信不可状態となった場合に、親機３０が他のＭＰＰＴ子機２０Ｂ〜２０Ｄの出力を制限することで、バイパス素子の発熱による負荷を低減することができる。
【００８３】
ＭＰＰＴ子機２０Ａが通信不可状態である場合、ＰＶパネル１０Ａの発電量不足により、ＭＰＰＴ子機２０Ａが動作停止している可能性がある。この状態において通常通りにパワーコンディショナ５０によりＭＰＰＴ制御を行う場合、ＭＰＰＴ子機２０Ａの代わりに、他のＭＰＰＴ子機２０Ｂの出力電圧を増加することで、ＰＶストリング１１Ａにかかる電圧を維持しようとする。これにより、パワーコンディショナ５０への入力電圧は維持される。
【００８４】
しかし、ＭＰＰＴ子機２０のバイパス素子における電圧が所定電圧以上になると、バイパス素子に電流が流れる。このとき、ＭＰＰＴ親機３０はＭＰＰＴ子機２０Ａと同一ストリング（ＰＶストリング１１Ａ）に接続される他のＭＰＰＴ子機２０Ｂ〜２０Ｄに対して出力制限指令を送信する。この指令に応じて各ＭＰＰＴ子機２０Ｂ〜２０Ｄが自身の出力を制限することで、ＰＶストリング１１Ａの電流を低下させることができる。すなわち、ＰＶパネル１０Ａに並列に接続されるバイパス素子を流れる電流値を低下させ、バイパス素子への発熱による負荷を低減することができる。
【００８５】
これにより、太陽光発電システム１００Ａに使用可能なバイパス素子の選択肢を増やすことができる。すなわち、太陽光発電システム１００Ａのコスト低下に寄与することができる。また、一般的に、ストリングを構成する太陽光パネル１０の数が増える程、そのストリングに流れる電流値は大きくなり、バイパス素子への発熱による負荷が大きくなる。しかし、上述のように、バイパス素子を流れる電流値を低下させるようにＭＰＰＴ親機３０がストリング電流を制御することで、バイパス素子への発熱による負荷を低減できるため、ストリングに接続する太陽光パネル１０の数を増加させることができる。従って、容易に大規模な太陽光発電システムを構築することができる。
【００８６】
また、ＭＰＰＴ子機２０ＡがＰＶパネル１０の出力を監視し、親機３０へ定期的に通知するので、親機３０はＭＰＰＴ子機２０Ａの動作状態を知ることができる。また、ＭＰＰＴ子機２０Ｂ〜２０Ｄが親機３０からの出力制限指令に応じて動作することで、動作停止しているＭＰＰＴ子機２０のバイパス素子へ流れる電流を小さくし、バイパス素子の発熱による負荷を低減することができる。
【００８７】
なお、親機３０の制御部３１は、所定期間内にＭＰＰＴ子機２０Ａから応答データを受信しなかった場合、ＰＶパネル１０Ａの出力が０（例えば０Ａ、０Ｖ、又は０Ｗ）、または、微少であると判定してもよい。つまり、後述する第２動作例における所定出力以下であると判定してもよい。
【００８８】
次に、図１２に示す太陽光発電システム１００Ａの第２動作例について説明する。
【００８９】
まず、図１１と同様に、親機３０及びＭＰＰＴ子機２０Ａ〜２０Ｄは、Ｓ１１及びＳ１２の動作を行う。
【００９０】
親機３０の制御部３１は、ＭＰＰＴ子機２０Ａ〜２０Ｄから取得したＰＶパネル１０Ａ〜１０Ｄの出力が所定出力以下であるか否かを判定する（Ｓ２１）。ＰＶパネル１０の出力は、例えば、ＰＶパネル１０の発電電圧（出力電圧）、発電電流（出力電流）、又は発電電力（出力電力）を含む。ＰＶパネル１０の出力の情報は、各ＭＰＰＴ子機２０からの検出情報に含まれ、又は検出情報から導出される。また、所定出力は、ＭＰＰＴ子機２０が動作できる略下限の電力となる出力であり、例えば、１５Ｖ、１００ｍＡである。
【００９１】
親機３０の通信部３７は、Ｓ２１の判定の結果、ＰＶパネル１０Ａの出力が所定出力以下であると判定した場合、ＭＰＰＴ子機２０Ａと同一のＰＶストリング１１Ａに存在する他のＭＰＰＴ子機２０Ｂ〜２０Ｄに対して、動作を制限するよう指示する（Ｓ２２）。つまり、親機３０は出力制限指令を送信する。
【００９２】
ＭＰＰＴ子機２０Ｂ〜２０Ｄの制御部２６は、親機３０からの出力制限指令を受信すると、出力制限指令に基づいて、自装置の出力を制限する（Ｓ１９）。ＭＰＰＴ子機２０Ｂ〜２０Ｄの出力制限の詳細については、後述する。
【００９３】
太陽光発電システム１００Ａの第２動作例によれば、ＭＰＰＴ子機２０Ａの出力が所定出力以下となった場合に、親機３０が他のＭＰＰＴ子機２０Ｂ〜２０Ｄの出力を制限することで、バイパス素子への発熱による負荷を低減できる。
【００９４】
ＭＰＰＴ子機２０Ａの出力が所定出力以下である場合、ＰＶパネル１０Ａの発電量不足により、ＭＰＰＴ子機２０Ａが動作停止に陥る可能性がある。この状態において通常通りにパワーコンディショナ５０によりＭＰＰＴ制御を行う場合、ＭＰＰＴ子機２０Ａの代わりに、他のＭＰＰＴ子機２０Ｂの出力を増加することで、ＰＶストリング１１Ａにおける発電量を維持しようとする。従って、ＰＶストリング１１Ａを流れる電流の大きさは維持され、ＭＰＰＴ子機２０のバイパス素子における電圧が所定電圧以上になると、バイパス素子に電流が流れる。このような状況を予想して、ＭＰＰＴ子機２０Ａが動作停止する前に他のＭＰＰＴ子機２０Ｂ〜２０Ｄにより出力を制限することで、バイパス素子を電流が流れても小さくでき、バイパス素子への発熱による負荷を低減できる。
【００９５】
次に、ＭＰＰＴ親機３０によるＭＰＰＴ子機２０の出力制限について説明する。
図１３〜図１６は、ＭＰＰＴ親機３０による出力制限指令に応じたＭＰＰＴ子機の出力変化の第１例〜第４例を示す図である。
【００９６】
図１３〜図１６では、ＰＶパネル１０Ａ〜１０Ｈは、いずれも同様の特性を有し、ＰＶパネル１０の受光面に日陰ＳＤを含まない場合（通常時）には、出力電圧：４０Ｖ、出力電力（発電電力）：１５０Ｗであることを想定している。また、ＰＶパネル１０Ａ〜１０Ｈにおける日射量は同じであることを想定している。
【００９７】
また、図１３〜図１６では、初期状態において、ＭＰＰＴ子機２０Ａ〜２０Ｈ及びパワーコンディショナ５０が共にＭＰＰＴ制御している。また、初期状態において、図１０に示したように、ＰＶパネル１０Ａの一部に建物ＢＬの日陰ＳＤが入り込んでいる。ただし、初期状態においても、ＭＰＰＴ子機２０は通信可能状態にある。ここでは、パワーコンディショナ５０が、ＭＰＰＴ制御により、ストリング電圧を１２０Ｖに設定することを想定する。
【００９８】
また、図１３〜図１６では、初期状態におけるＭＰＰＴ子機２０Ａ〜２０Ｈの検出情報と、親機３０による出力制限指令の内容と、状態変化後のＭＰＰＴ子機２０Ａ〜２０Ｈの検出情報と、を時系列により示している。検出情報は、各ＭＰＰＴ子機２０の出力側検出電圧、出力側検出電流、又は出力側電力を含む。出力側電力は、ＭＰＰＴ子機２０Ａから通知されてもよいし、親機３０が導出してもよい。図１３〜図１６では、初期状態の検出情報は出力制限指令の上側に記載され、状態変化後の検出情報は出力制限指令の下側に記載される。
【００９９】
また、図１３〜図１６では、初期状態において、ＭＰＰＴ子機２０Ａ〜２０Ｈの出力電流の上限値が、例えば５．５Ａ又は６Ａに設定されている。ＭＰＰＴ子機２０Ａ〜２０Ｈの制御部２６は、自装置のＭＰＰＴ制御又はパワーコンディショナ５０のＭＰＰＴ制御により出力電流の上限値よりも大きい電流値とするよう指令を受けても、この上限値を超過しないよう制御する。
【０１００】
また、ＭＰＰＴ子機２０の出力電流は、出力側検出電流として検出される。ＭＰＰＴ子機２０の出力電圧は、出力側検出電圧として検出される。
【０１０１】
まず、図１３を用いて、ＭＰＰＴ子機２０の出力制限の第１例について説明する。
第１例では、ＭＰＰＴ親機３０は、出力制限指令として、所定のＭＰＰＴ子機２０の出力電流の上限値を低下させる指令を、所定のＭＰＰＴ子機２０へ送信する。
【０１０２】
第１例では、初期状態においてストリング電圧が１２０Ｖであるので、ＭＰＰＴ子機２０Ａ〜２０Ｈの制御部２６は、ＭＰＰＴ子機２０Ａ〜２０Ｈの出力電圧が３０Ｖとなるように、デューティ比（昇降圧比）を設定する。ＰＶパネル１０Ａ〜１０Ｈの通常時の出力電圧は４０Ｖであるので、初期状態は降圧状態である。
【０１０３】
また、変圧前後において電力はほぼ同一であるので、初期状態においてＭＰＰＴ子機２０Ａ〜２０Ｈの出力電流は５Ａとなる。従って、出力電流が上限値以下であるので、初期状態では特に制限を受けない。
【０１０４】
日陰ＳＤ等の影響により、ＭＰＰＴ子機２０Ａが通信不可状態、又は、ＭＰＰＴ子機２０Ａの出力電圧等が所定値以下となった場合、親機３０の通信部３７は、ＭＰＰＴ子機２０Ｂ〜２０Ｄに対して、出力制限指令を送信する。この出力制限指令は、ＭＰＰＴ子機２０Ｂ〜２０Ｄの出力電流の上限値を低下させる指令を含む。ＭＰＰＴ子機２０Ｂ〜２０Ｄは、ＭＰＰＴ子機２０Ａと同一のＰＶストリング１１Ａに含まれる。図１３では、ＭＰＰＴ子機２０Ａが動作不能となり、通信不可状態となった場合を例示している。なお、ＭＰＰＴ子機２０Ｂ〜２０Ｄのスイッチ部２１はオフにされている。
【０１０５】
ＭＰＰＴ子機２０Ｂ〜２０Ｄの制御部２６は、親機３０からの出力制限指令を受信すると、出力制限指令に応じて、出力電流の上限値を小さくする。図１３では、例えば出力電流の上限値を５Ａから４Ａに変更する。
【０１０６】
従って、ＭＰＰＴ子機２０Ｂ〜２０Ｄの制御部２６は、ＭＰＰＴ制御により、ＭＰＰＴ子機２０Ｂ〜２０Ｄの出力電流が、出力電流の上限値である４Ａを超過しない４Ａとなるように、デューティ比を決定する。また、変圧前後において電力は不変であるので、この状態において、ＭＰＰＴ子機２０Ｂ〜２０Ｄの出力電圧は３７．５Ｖとなる。この場合、ＰＶストリング１１Ａにおけるストリング電圧は、１１２．５Ｖとなり、このストリング電圧において最大電力となる。
【０１０７】
ＰＶストリング１１Ａにおけるストリング電圧が１１２．５Ｖになると、パワーコンディショナ５０は、ＭＰＰＴ制御により、各ＰＶストリング１１Ａ，１１Ｂのストリング電圧も１１２．５Ｖに変更する。
【０１０８】
ＰＶストリング１１Ｂにおけるストリング電圧が１１２．５Ｖに変更されると、ＰＶストリング１１Ｂに含まれるＭＰＰＴ子機２０Ｅ〜２０Ｈの制御部２６は、ＭＰＰＴ子機２０Ｅ〜２０Ｈの出力電圧が２８．１２５Ｖとなるように、デューティ比を設定する。
【０１０９】
また、変圧前後において電力は不変であるので、この状態において、ＭＰＰＴ子機２０Ｅ〜２０Ｈの出力電流は、５．３３Ａとなる。従って、出力電流が上限値（６Ａ）以下であるので、特に制限を受けない。なお、ＭＰＰＴ子機２０Ｅ〜２０Ｈでは、バイパス素子に電流が流れないので、出力電流に応じた熱も発生しない。
【０１１０】
このように、第１例では、ＭＰＰＴ子機２０Ａが例えば通信不可状態になると、ＭＰＰＴ親機３０は、ＭＰＰＴ子機２０Ａと同一のＰＶストリング１１Ａに存在するＭＰＰＴ子機２０Ｂ〜２０Ｄに対して、出力制限指令を送信する。この出力制限指令は、ＭＰＰＴ子機２０Ｂ〜２０Ｄの出力電流の上限値を低下させる指令を含む。また、ＭＰＰＴ子機２０Ｂ〜２０Ｄは、この出力制限指令に応じて、自装置の出力電流の上限値を低下させ、自装置の出力電流が、低下された上限値以下となるよう制御する。
【０１１１】
これにより、ＭＰＰＴ子機２０Ｂ〜２０Ｄを流れる電流が低下するので、ＭＰＰＴ子機２０Ａのバイパス素子を流れる電流が低下する。従って、バイパス素子への発熱による負荷を低減できる。
【０１１２】
次に、図１４を用いて、ＭＰＰＴ子機２０の出力制限の第２例について説明する。
第２例では、ＭＰＰＴ親機３０は、出力制限指令として、ＤＣＤＣ部２５による昇圧及び降圧を禁止する指令を、所定のＭＰＰＴ子機２０へ送信する。
【０１１３】
第２例では、初期状態においてストリング電圧が１２０Ｖであるので、ＭＰＰＴ子機２０Ａ〜２０Ｈの制御部２６は、ＭＰＰＴ子機２０Ａ〜２０Ｈの出力電圧が３０Ｖとなるように、デューティ比を設定する。ＰＶパネル１０の通常時の出力電圧は４０Ｖであるので、初期状態は降圧状態である。また、変圧前後において電力は不変であるので、初期状態において、ＭＰＰＴ子機２０Ａ〜２０Ｈの出力電流は５Ａとなる。
【０１１４】
日陰ＳＤ等の影響により、ＭＰＰＴ子機２０Ａが通信不可状態、又は、ＭＰＰＴ子機２０Ａの出力電圧等が所定値以下となった場合、親機３０の通信部３７は、ＭＰＰＴ子機２０Ｂ〜２０Ｄに対して、出力制限指令を送信する。この出力制限指令は、ＭＰＰＴ子機２０Ｂ〜２０Ｄのバイパス動作の指令を含む。バイパス動作では、ＤＣＤＣ部２５による昇圧及び降圧が禁止される。また、バイパス動作では、ＭＰＰＴ子機２０Ｂ〜２０Ｄのスイッチ部２１がオンにされ、入力側から出力側へ電流及び電圧が変化なく通過されてもよい。
【０１１５】
ＭＰＰＴ子機２０Ｂ〜２０Ｄの制御部２６は、親機３０からの出力制限指令を受信すると、出力制限指令に応じて、バイパス動作に遷移される。つまり、ＭＰＰＴ子機２０Ｂ〜２０Ｄの制御部２６は、ＤＣＤＣ部２５による昇圧及び降圧を禁止する、又は、ＭＰＰＴ子機２０Ｂ〜２０Ｄのスイッチ部２１をオンにする。これにより、初期状態における降圧状態の出力電圧３０Ｖから、降圧及び昇圧が行われていないＰＶパネル１０の通常時の出力電圧４０Ｖになる。スイッチ部２１を用いる場合、ＤＣＤＣ部２５による電力変換時の電力損失を抑制できる。
【０１１６】
ＭＰＰＴ子機２０Ｂ〜２０Ｄがバイパス動作に遷移した後、ストリング電圧１２０Ｖは変更されず、ＰＶパネル１０Ｂ〜１０Ｄの出力電力１５０Ｗも変更されないので、ＭＰＰＴ子機２０Ｂ〜２０Ｄの出力電流は３．７５Ａとなる。
【０１１７】
なお、ＰＶパネル１０Ａを含まないＰＶストリング１１Ｂのストリング電圧は変更されないので、ＰＶストリング１１Ｂに含まれるＭＰＰＴ子機２０Ｅ〜２０Ｈの出力電圧、出力電流、及び出力電力は変更されない。
【０１１８】
このように、第２例では、ＭＰＰＴ子機２０Ａが例えば通信不可状態になると、ＭＰＰＴ親機３０は、ＭＰＰＴ子機２０Ａと同一のＰＶストリング１１Ａに存在するＭＰＰＴ子機２０Ｂ〜２０Ｄに対して、出力制限指令を送信する。この出力制限指令は、ＭＰＰＴ子機２０Ｂ〜２０Ｄのバイパス動作の指令、つまり昇圧及び降圧を禁止する指令を含む。また、ＭＰＰＴ子機２０Ｂ〜２０Ｄは、この出力制限指令に応じて、ＰＶパネル１０Ｂ〜１０Ｄの出力電圧に対する昇圧及び降圧を禁止する。
【０１１９】
これにより、ＭＰＰＴ子機２０Ｂ〜２０Ｄを流れる電流がＰＶパネル１０を流れる最大出力電流以下になるので、ＭＰＰＴ子機２０Ａのバイパス素子が許容できる電流以下となる。従って、バイパス素子への発熱による負荷を低減できる。
【０１２０】
次に、図１５を用いて、ＭＰＰＴ子機２０の出力制限の第３例について説明する。
第３例では、ＭＰＰＴ親機３０は、出力制限指令として、ＤＣＤＣ部２５による降圧を禁止する指令を、所定のＭＰＰＴ子機２０へ送信する。
【０１２１】
第３例では、初期状態においてストリング電圧が１２０Ｖであるので、ＭＰＰＴ子機２０Ａ〜２０Ｈの制御部２６は、ＭＰＰＴ子機２０Ａ〜２０Ｈの出力電圧が３０Ｖとなるように、デューティ比を設定する。ＰＶパネル１０の通常時の出力電圧は４０Ｖであるので、初期状態は降圧状態である。また、変圧前後において電力は不変であるので、初期状態において、ＭＰＰＴ子機２０Ａ〜２０Ｈの出力電流は５Ａとなる。
【０１２２】
日陰ＳＤ等の影響により、ＭＰＰＴ子機２０Ａが通信不可状態、又は、ＭＰＰＴ子機２０Ａの出力電圧等が所定値以下となった場合、親機３０の通信部３７は、ＭＰＰＴ子機２０Ｂ〜２０Ｄに対して、出力制限指令を送信する。この出力制限指令は、ＭＰＰＴ子機２０Ｂ〜２０Ｄによる降圧禁止の指令を含む。
【０１２３】
ＭＰＰＴ子機２０Ｂ〜２０Ｄの制御部２６は、親機３０からの出力制限指令を受信すると、出力制限指令に応じて、ＤＣＤＣ部２５による降圧を禁止する。この場合、ＤＣＤＣ部２５による昇圧は許容される。また、ＭＰＰＴ子機２０Ｂ〜２０Ｄの制御部２６は、ＭＰＰＴ子機２０Ｂ〜２０Ｄのスイッチ部２１をオンにし、入力側から出力側へ電流及び電圧を変化させることなく通過されてもよい。
【０１２４】
図１５では、ＭＰＰＴ子機２０Ｂ〜２０Ｄの制御部２６は、初期状態における降圧状態の出力電圧３０Ｖを、降圧を解除した出力電圧４０Ｖに変更している。
【０１２５】
ＭＰＰＴ子機２０Ｂ〜２０Ｄによる降圧禁止後、ＰＶストリング１１Ａにおけるストリング電圧１２０Ｖは変更されず、ＰＶパネル１０Ｂ〜１０Ｄの出力電力１５０Ｗも変更されないので、ＭＰＰＴ子機２０Ｂ〜２０Ｄの出力電流は３．７５Ａとなる。
【０１２６】
なお、ＰＶパネル１０Ａを含まないＰＶストリング１１Ｂのストリング電圧は変更されないので、ＰＶストリング１１Ｂに含まれるＭＰＰＴ子機２０Ｅ〜２０Ｈの出力電圧、出力電流、及び出力電力は変更されない。
【０１２７】
このように、第３例では、ＭＰＰＴ子機２０Ａが例えば通信不可状態になると、ＭＰＰＴ親機３０は、ＭＰＰＴ子機２０Ａと同一のＰＶストリング１１Ａに存在するＭＰＰＴ子機２０Ｂ〜２０Ｄに対して、出力制限指令を送信する。この出力制限指令は、ＭＰＰＴ子機２０Ｂ〜２０Ｄによる降圧禁止の指令を含む。また、ＭＰＰＴ子機２０Ｂ〜２０Ｄは、この出力制限指令に応じて、ＰＶパネル１０Ｂ〜１０Ｄの出力電圧に対する降圧を禁止する。
【０１２８】
これにより、ＭＰＰＴ子機２０Ｂ〜２０Ｄを流れる電流がＰＶパネル１０を流れる最大出力電流以下になるので、ＭＰＰＴ子機２０Ａのバイパス素子が許容できる電流以下となる。従って、バイパス素子への発熱による負荷を低減できる。
【０１２９】
次に、図１６を用いて、ＭＰＰＴ子機２０の出力制限の第４例について説明する。
第４例では、ＭＰＰＴ親機３０は、出力制限指令として、ＤＣＤＣ部２５による昇圧指令を、所定のＭＰＰＴ子機２０へ送信する。
【０１３０】
第４例では、初期状態においてストリング電圧が１２０Ｖであるので、ＭＰＰＴ子機２０Ａ〜２０Ｈの制御部２６は、ＭＰＰＴ子機２０Ａ〜２０Ｈの出力電圧が３０Ｖとなるように、デューティ比を設定する。ＰＶパネル１０の通常時の出力電圧は４０Ｖであるので、初期状態は降圧状態である。また、変圧前後において電力は不変であるので、初期状態において、ＭＰＰＴ子機２０Ａ〜２０Ｈの出力電流は５Ａとなる。
【０１３１】
日陰ＳＤ等の影響により、ＭＰＰＴ子機２０Ａが通信不可状態、又は、ＭＰＰＴ子機２０Ａの出力電圧等が所定値以下となった場合、親機３０の通信部３７は、ＭＰＰＴ子機２０Ｂ〜２０Ｄに対して、出力制限指令を送信する。この出力制限指令は、ＭＰＰＴ子機２０Ｂ〜２０Ｄによる昇圧指令を含む。
【０１３２】
ＭＰＰＴ子機２０Ｂ〜２０Ｄの制御部２６は、親機３０からの出力制限指令を受信すると、出力制限指令に応じて、ＤＣＤＣ部２５により昇圧するよう制御する。なお、ＭＰＰＴ子機２０Ｂ〜２０Ｄのスイッチ部２１はオフにされている。
【０１３３】
図１６では、ＭＰＰＴ子機２０Ｂ〜２０Ｄの制御部２６は、初期状態における降圧状態の出力電圧３０Ｖを、通常状態の出力電圧４０Ｖから昇圧した出力電圧５０Ｖとなるように、デューティ比を決定する。このデューティ比は固定値である。この場合、ＰＶストリング１１Ａにおけるストリング電圧は１５０Ｖとなり、このストリング電圧において最大電力となる。また、変圧前後において電力は不変であるので、ＭＰＰＴ子機２０Ｂ〜２０Ｄの出力電流は３Ａとなる。
【０１３４】
ＰＶストリング１１Ａにおけるストリング電圧が１５０Ｖになると、パワーコンディショナ５０は、ＭＰＰＴ制御により、各ＰＶストリング１１Ａ，１１Ｂのストリング電圧も１５０Ｖに変更する。
【０１３５】
ＰＶストリング１１Ｂにおけるストリング電圧が１５０Ｖに変更されると、ＰＶストリング１１Ｂに含まれるＭＰＰＴ子機２０Ｅ〜２０Ｈの制御部２６は、ＭＰＰＴ子機２０Ｅ〜２０Ｈの出力電圧が３７．５Ｖとなるように、デューティ比を設定する。
【０１３６】
また、変圧前後において電力は不変であるので、この状態において、ＭＰＰＴ子機２０Ｅ〜２０Ｈの出力電流は４Ａとなる。
【０１３７】
このように、第４例では、ＭＰＰＴ子機２０Ａが例えば通信不可状態になると、ＭＰＰＴ親機３０は、ＭＰＰＴ子機２０Ａと同一のＰＶストリング１１Ａに存在するＭＰＰＴ子機２０Ｂ〜２０Ｄに対して、出力制限指令を送信する。この出力制限指令は、ＭＰＰＴ子機２０Ｂ〜２０Ｄによる昇圧指令を含む。また、ＭＰＰＴ子機２０Ｂ〜２０Ｄは、この出力制限指令に応じて、ＰＶパネル１０Ｂ〜１０Ｄの出力電圧を昇圧するよう制御する。
【０１３８】
これにより、ＭＰＰＴ子機２０Ｂ〜２０Ｄを流れる電流が低下するので、ＭＰＰＴ子機２０Ａのバイパス素子を流れる電流が低下する。従って、バイパス素子への発熱による負荷を低減できる。特に、第４例では、第１例〜第３例と比較しても最も各ＰＶストリング１１Ａ，１１Ｂを流れる電流が小さくなる。
【０１３９】
このように、太陽光発電システム１００又は１００Ａでは、ＰＶパネル１０が例えば日陰ＳＤにより発電を停止すると、ＰＶパネル１０に接続されたＭＰＰＴ子機２０のバイパス素子に電流が流れる。
【０１４０】
バイパス素子では、電流の大きさに応じて発熱するが、親機３０によるＭＰＰＴ子機２０に対する出力制限指令により、バイパス素子の許容温度を超過することを防止できる。また、許容温度の超過によるバイパス素子への負荷を低減できる。従って、バイパス素子が正常に動作でき、日陰部分を含むＰＶパネル１０を含むＰＶストリング全体の発電が停止することを防止できる。
【０１４１】
また、親機３０による簡単な制御により発熱対策を実施できるので、特別な放熱構造が不要である。従って、ＭＰＰＴ子機２０の大型化を回避でき、発熱対策（放熱対策）のためのコストを削減できる。
【０１４２】
なお、出力制限指令は上述の第１例〜第４例で説明した内容に限定されない。出力制限指令を受信したＭＰＰＴ子機２０は、単純に、現在の出力電流より低い値の電流を出力してもよい。また、出力制限指令が電流値に関する情報を含み、これを受信したＭＰＰＴ子機２０がその電流値となるように出力してもよい。
【０１４３】
なお、本発明は、上記実施形態の構成に限られるものではなく、特許請求の範囲で示した機能、または本実施形態の構成が持つ機能が達成できる構成であればどのようなものであっても適用可能である。
【０１４４】
（本発明の一態様の概要）
本発明の一態様の制御装置は、太陽光パネルの発電量を制御する複数の発電制御装置を制御する制御装置であって、前記太陽光パネルの出力の情報を前記発電制御装置から受信する出力情報受信部と、前記出力情報受信部により受信された第１の発電制御装置からの第１の太陽光パネルの出力が所定値以下である場合、第２の太陽光パネルの発電量を制御する第２の発電制御装置へ、前記第２の発電制御装置の出力を制限するよう出力制限指令を送信する出力制限指令送信部と、を備える。
【０１４５】
また、本発明の一態様の制御装置は、前記出力制限指令送信部が、前記出力情報受信部により前記第１の発電制御装置から出力の情報を所定期間取得しなかった場合、前記出力制限指令を送信する。
【０１４６】
また、本発明の一態様の制御装置は、複数の太陽光パネルが直列に接続されてストリングが形成され、前記第２の太陽光パネルが、前記第１の太陽光パネルと同一ストリングに存在する。
【０１４７】
また、本発明の一態様の制御装置は、前記第１の発電制御装置が、前記太陽光パネルの出力を電力変換して出力する場合、前記出力制限指令が、前記第２の発電制御装置の出力電流の上限を低下させる指令を含む。
【０１４８】
また、本発明の一態様の制御装置は、前記第１の発電制御装置が、前記太陽光パネルの出力を電力変換して出力する場合、前記出力制限指令が、前記第２の発電制御装置による降圧を禁止する指令を含む。
【０１４９】
また、本発明の一態様の制御装置は、前記出力制限指令が、前記第２の発電制御装置による昇圧及び降圧を禁止する指令を含む。
【０１５０】
また、本発明の一態様の制御装置は、前記第１の発電制御装置が、前記太陽光パネルの出力を電力変換する電力変換部と、前記太陽光パネルの出力を、前記電力変換部を介さずにバイパスさせるバイパス部と、を備える。
【０１５１】
また、本発明の一態様の制御装置は、前記第１の発電制御装置が、前記太陽光パネルの出力を電力変換して出力する場合、前記出力制限指令が、前記第２の発電制御装置による昇圧指令を含む。
【０１５２】
また、本発明の一態様の発電制御装置は、太陽光パネルの発電量を制御する発電制御装置であって、前記太陽光パネルの出力を検出する出力検出部と、前記出力検出部により検出された前記太陽光パネルの出力の情報を、当該発電制御装置を制御する制御装置へ送信する出力情報送信部と、前記太陽光パネルの出力の情報に基づく出力制限指令を受信する出力制限指令受信部と、前記太陽光パネルの出力を制御する制御部と、他の太陽光パネルにより発電された電力をバイパスさせるバイパス部と、を備え、前記制御部は、前記受信部により前記出力制限指令を受信した場合、前記出力制限指令に応じて当該発電制御装置の出力を制限する。
【０１５３】
また、本発明の一態様の発電制御装置は、前記制御部が、前記出力制限指令に応じて、当該発電制御装置の出力電流の上限を低下させ、当該発電制御装置の出力電流が当該上限以下となるよう制御する。
【０１５４】
また、本発明の一態様の発電制御装置は、前記制御部が、前記出力制限指令に応じて、前記太陽光パネルの出力電圧に対する降圧を禁止する。
【０１５５】
また、本発明の一態様の発電制御装置は、前記制御部が、前記出力制限指令に応じて、前記太陽光パネルの出力電圧に対する昇圧及び降圧を禁止する。
【０１５６】
また、本発明の一態様の発電制御装置は、前記太陽光パネルの出力を電力変換する電力変換部と、前記太陽光パネルの出力を、前記電力変換部を介さずにバイパスさせる電力変換バイパス部と、を備える。
【０１５７】
また、本発明の一態様の発電制御装置は、前記制御部が、前記出力制限指令に応じて、前記太陽光パネルの出力電圧を昇圧するよう制御する。
【０１５８】
また、本発明の一態様の太陽光発電システムは、第１の太陽光パネルの発電量を制御する第１の発電制御装置と、第２の太陽光パネルの発電量を制御する第２の発電制御装置と、前記第１の発電制御装置及び前記第２の発電制御装置を制御する制御装置と、を備える太陽光発電システムであって、前記第１の発電制御装置は、前記第１の太陽光パネルの出力を検出する出力検出部と、前記出力検出部により検出された前記第１の太陽光パネルの出力の情報を前記制御装置へ送信する出力情報送信部と、他の太陽光パネルにより発電された電力をバイパスさせるバイパス部と、を備え、前記制御装置は、前記第１の太陽光パネルの出力の情報を前記第１の発電制御装置から受信する出力情報受信部と、前記出力情報受信部により受信された前記第１の太陽光パネルの出力が所定値以下である場合、前記第２の発電制御装置へ、前記第２の発電制御装置の出力を制限するよう出力制限指令を送信する出力制限指令送信部と、を備え、前記第２の発電制御装置は、前記制御装置からの前記出力制限指令を受信する出力制限指令受信部と、前記第２の太陽光パネルの出力を制御する制御部と、他の太陽光パネルにより発電された電力をバイパスさせるバイパス部と、を備え、前記制御部は、前記出力制限指令受信部により前記出力制限指令が受信された場合、前記出力制限指令に応じて前記第２の発電制御装置の出力を制限する。
【０１５９】
また、本発明の一態様の制御方法は、太陽光パネルの発電量を制御する発電制御装置を制御する制御装置における制御方法であって、前記太陽光パネルの出力の情報を前記発電制御装置から受信するステップと、前記受信された第１の発電制御装置からの第１の太陽光パネルの出力が所定値以下である場合、第２の太陽光パネルの発電量を制御する第２の発電制御装置へ、前記第２の発電制御装置の出力を制限するよう出力制限指令を送信するステップと、を有する。
【０１６０】
また、本発明の一態様の発電制御方法は、他の太陽光パネルにより発電された電力をバイパスさせるバイパス部を備え、太陽光パネルの発電量を制御する発電制御装置における発電制御方法であって、前記太陽光パネルの出力を検出するステップと、前記検出された前記太陽光パネルの出力の情報を、当該発電制御装置を制御する制御装置へ送信するステップと、前記太陽光パネルの出力の情報に基づく出力制限指令を受信するステップと、前記太陽光パネルの出力を制御する制御ステップと、を有し、前記制御ステップでは、前記出力制限指令が受信された場合、前記出力制限指令に応じて当該発電制御装置の出力を制限する。
【産業上の利用可能性】
【０１６１】
本発明は、バイパス素子の発熱による負荷を低減できる制御装置、発電制御装置、太陽光発電システム、制御方法、及び発電制御方法等に有用である。
【符号の説明】
【０１６２】
１００，１００Ａ  太陽光発電システム
１０  ＰＶパネル
１１Ａ，１１Ｂ  ＰＶストリング
２０  ＭＰＰＴ子機
２１  スイッチ部
２２  電源部
２３，２４  電流電圧検出部
２５  ＤＣＤＣ部
２６  制御部
２７，２７Ａ，２７Ｂ  通信部
２８  入力端子
２９  出力端子
３０  ＭＰＰＴ親機
３１  制御部
３２  ＣＰＵ
３３  ＲＡＭ
３４  フラッシュメモリ（ＦＬＡＳＨ）
３５  Ｉ／Ｏ部
３６  電源部
３７  通信部
４０  接続箱
５０  パワーコンディショナ
ＰＬ  電力線
ＢＤ  バイパスダイオード
ＢＴ  バイパス用トランジスタ
【図１】
2014112318.tif 000003
【図２】
2014112318.tif 000004
【図３】
2014112318.tif 000005
【図４】
2014112318.tif 000006
【図５】
2014112318.tif 000007
【図６】
2014112318.tif 000008
【図７】
2014112318.tif 000009
【図８】
2014112318.tif 000010
【図９】
2014112318.tif 000011
【図１０】
2014112318.tif 000012
【図１１】
2014112318.tif 000013
【図１２】
2014112318.tif 000014
【図１３】
2014112318.tif 000015
【図１４】
2014112318.tif 000016
【図１５】
2014112318.tif 000017
【図１６】
2014112318.tif 000018